【手続補正書】
【提出日】平成30年10月16日(2018.10.16)
【手続補正１】
【補正対象書類名】明細書
【補正対象項目名】発明の名称
【補正方法】変更
【補正の内容】
【発明の名称】携帯端末および携帯端末の制御方法
【手続補正２】
【補正対象書類名】明細書
【補正対象項目名】０００１
【補正方法】変更
【補正の内容】
【０００１】
本発明は、無線通信を行う携帯端末および携帯端末の制御方法に関する。
【手続補正３】
【補正対象書類名】明細書
【補正対象項目名】０００７
【補正方法】変更
【補正の内容】
【０００７】
本発明の目的は、所望の画像形成装置とのペアリングを容易に行うことができる携帯端末および携帯端末の制御方法を提供することにある。
【手続補正４】
【補正対象書類名】明細書
【補正対象項目名】０００８
【補正方法】変更
【補正の内容】
【０００８】
上記目的を達成するために、本発明の携帯端末は、画像形成装置を探索する探索手段と、前記探索手段によって探索された１以上の画像形成装置を含むリストを表示する表示手段と、前記リストに表示された１以上の画像形成装置の中から、前記携帯端末が近接した画像形成装置を１つ特定する特定手段と、前記特定手段によって特定された画像形成装置に接続する接続手段と、を備えることを特徴とする。
【手続補正５】
【補正対象書類名】特許請求の範囲
【補正対象項目名】全文
【補正方法】変更
【補正の内容】
【特許請求の範囲】
【請求項１】
携帯端末であって、
画像形成装置を探索する探索手段と、
前記探索手段によって探索された１以上の画像形成装置を含むリストを表示する表示手段と、
前記リストに表示された１以上の画像形成装置の中から、前記携帯端末が近接した画像形成装置を１つ特定する特定手段と、
前記特定手段によって特定された画像形成装置に接続する接続手段と、
を備えることを特徴とする携帯端末。
【請求項２】
前記探索手段および前記接続手段はそれぞれ、前記探索および前記接続を、無線通信を利用して行うことを特徴とする請求項１に記載の携帯端末。
【請求項３】
前記探索手段および前記接続手段は、前記探索および前記接続を、種類の異なる無線通信を利用して行うことを特徴とする請求項２に記載の携帯端末。
【請求項４】
前記特定手段は、前記リストが表示された状態で、前記携帯端末が近接した画像形成装置を１つ特定することを特徴とする請求項１乃至３の何れか１項に記載の携帯端末。
【請求項５】
前記リストには、前記携帯端末を所望の画像形成装置に近接させることをユーザに促すメッセージが更に表示される、
ことを特徴とする請求項１乃至４の何れか１項に記載の携帯端末。
【請求項６】
前記携帯端末は、前記複数の画像形成装置から無線電波を受信し、
前記特定手段は、受信した前記無線電波の電波強度の変化量に基づいて、前記携帯端末が近接した画像形成装置を１つ特定する、
ことを特徴とする請求項１乃至５の何れか１項に記載の携帯端末。
【請求項７】
前記特定手段は、前記電波強度の変化量が最も大きい画像形成装置を、前記携帯端末が近接した画像形成装置として特定する、
ことを特徴とする請求項６に記載の携帯端末。
【請求項８】
前記リストにおいて前記複数の画像形成装置の中からユーザが１つの画像形成装置を選択した場合に、前記接続手段は、ユーザが選択した画像形成装置に接続する、
ことを特徴とする請求項１乃至５の何れか１項に記載の携帯端末。
【請求項９】
前記探索手段によって探索された画像形成装置が複数である場合、前記表示手段は、前記リストを表示し、
前記探索手段によって探索された画像形成装置が１つである場合、前記表示手段が前記リストを表示することなく、前記接続手段が前記画像形成装置に接続する、
ことを特徴とする請求項１乃至５の何れか１項に記載の携帯端末。
【請求項１０】
前記表示手段は、画像形成装置から前記携帯端末が受信した無線電波の電波強度が所定の電波強度より大きい場合に、当該画像形成装置を前記リストに表示する、
ことを特徴とする請求項１乃至９の何れか１項に記載の携帯端末。
【請求項１１】
前記探索手段は、ＢＬＥ（Ｂｌｕｅｔｏｏｔｈ Ｌｏｗ Ｅｎｅｒｇｙ）通信を用いて画像形成装置を探索する、
ことを特徴とする請求項１乃至１０の何れか１項に記載の携帯端末。
【請求項１２】
前記リストには、画像形成装置のデバイス名が表示される、
ことを特徴とする請求項１乃至１１の何れか１項に記載の携帯端末。
【請求項１３】
前記リストには、画像形成装置から前記携帯端末が受信した無線電波の電波強度が表示される、
ことを特徴とする請求項１乃至１２の何れか１項に記載の携帯端末。
【請求項１４】
携帯端末の制御方法であって、
画像形成装置を探索する工程と、
前記探索する工程により探索された複数の画像形成装置を含むリストを表示する工程と、
前記リストに表示された複数の画像形成装置の中から、前記携帯端末が近接した画像形成装置を１つ特定する工程と、
特定された画像形成装置に接続する工程と、
を備えることを特徴とする携帯端末の制御方法。
【請求項１５】
前記探索および前記接続は、無線通信を利用して行われること、
を特徴とする請求項１４に記載の携帯端末の制御方法。
【請求項１６】
前記探索および前記接続は、種類の異なる無線通信を利用して行われること、
を特徴とする請求項１５に記載の携帯端末の制御方法。
【請求項１７】
前記リストが表示された状態で、前記携帯端末が近接した画像形成装置を１つ特定すること、
を特徴とする請求項１４乃至１６の何れか１項に記載の携帯端末の制御方法。
【請求項１８】
前記リストには、前記携帯端末を所望の画像形成装置に近接させることをユーザに促すメッセージが更に表示される、
ことを特徴とする請求項１４乃至１７の何れか１項に記載の携帯端末の制御方法。
【請求項１９】
前記携帯端末は、前記複数の画像形成装置から無線電波を受信し、
受信した前記無線電波の電波強度の変化量に基づいて、前記携帯端末が近接した画像形成装置を１つ特定する、
ことを特徴とする請求項１４乃至１８の何れか１項に記載の携帯端末の制御方法。
【請求項２０】
前記電波強度の変化量が最も大きい画像形成装置を、前記携帯端末が近接した画像形成装置として特定する、
ことを特徴とする請求項１９記載の携帯端末の制御方法。
【請求項２１】
前記リストにおいて前記複数の画像形成装置の中からユーザが１つの画像形成装置を選択した場合に、ユーザが選択した画像形成装置に接続する、
ことを特徴とする請求項１４乃至１８の何れか１項に記載の携帯端末の制御方法。
【請求項２２】
探索された画像形成装置が複数である場合、前記リストを表示し、
探索された画像形成装置が１つである場合、前記リストを表示することなく、前記画像形成装置に接続する、
ことを特徴とする請求項１４乃至１８の何れか１項に記載の携帯端末の制御方法。
【請求項２３】
画像形成装置から前記携帯端末が受信した無線電波の電波強度が所定の電波強度より大きい場合に、当該画像形成装置を前記リストに表示する、
ことを特徴とする請求項１４乃至２２の何れか１項に記載の携帯端末の制御方法。
【請求項２４】
ＢＬＥ（Ｂｌｕｅｔｏｏｔｈ Ｌｏｗ Ｅｎｅｒｇｙ）通信を用いて画像形成装置を探索する、
ことを特徴とする請求項１４乃至２３の何れか１項に記載の携帯端末の制御方法。
【請求項２５】
前記リストには、画像形成装置のデバイス名が表示される、
ことを特徴とする請求項１４乃至２４の何れか１項に記載の携帯端末の制御方法。
【請求項２６】
前記リストには、画像形成装置から前記携帯端末が受信した無線電波の電波強度が表示される、
ことを特徴とする請求項１４乃至２５の何れか１項に記載の携帯端末の制御方法。